(57)【要約】【課題】  従来と同様の回路部品等を使用しつつも、規格外の低い電圧値の入力電圧を用いて必要な出力電圧を生成することに起因する大電流等から当該回路部品を保護することが可能な回路保護装置を提供する。【解決手段】  駆動電力源としての安定化された直流を、交流を用いて生成するスイッチング電源部６と、交流の電圧値が閾値未満となっているか否かを検出する電圧検出部５と、当該交流の電圧値が閾値未満の値となっているとき、当該交流を用いた直流の生成を停止するように制御する制御部１０と、を備える。【選択図】    図１
2007329978.tif 000002
【特許請求の範囲】
【請求項１】
入力電圧を用いて出力電圧を生成する生成手段と、
前記入力電圧の値が、予め設定された閾値未満となっているか否かを検出する検出手段と、
前記入力電圧の値が前記閾値未満の値となっているとき、当該入力電圧を用いた前記出力電圧の生成を停止するように制御する制御手段と、
を備えることを特徴とする回路保護装置。
【請求項２】
請求項１に記載の回路保護装置において、
前記生成手段は、前記入力電圧の値が変動した場合にも、一定の電圧値を有する前記出力電圧を生成するように機能することを特徴とする回路保護装置。
【請求項３】
請求項１又は２に記載の回路保護装置において、
前記生成手段は、前記入力電圧を用いて動作するスイッチング電源手段であることを特徴とする回路保護装置。
【請求項４】
請求項１から３のいずれか一項に記載の回路保護装置において、
前記制御手段は、前記入力電圧の値が前記閾値未満の値となっているとき、前記生成手段における前記出力電圧の生成動作を停止することにより前記出力電圧の生成を停止することを特徴とする回路保護装置。
【請求項５】
請求項４に記載の回路保護装置において、
前記制御手段は、前記生成手段への電源電力の供給を停止して当該生成手段における前記出力電圧の生成動作を停止することにより前記出力電圧の生成を停止することを特徴とする回路保護装置。
【請求項６】
請求項１から３のいずれか一項に記載の回路保護装置において、
前記制御手段は、前記入力電圧の値が前記閾値未満の値となっているとき、当該入力電圧の供給自体を停止することにより前記出力電圧の生成を停止することを特徴とする回路保護装置。
【請求項７】
請求項６に記載の回路保護装置において、
前記制御手段は、前記入力電圧の供給経路上に設けられたヒューズを溶断させて当該入力電圧の供給自体を停止することにより前記出力電圧の生成を停止することを特徴とする回路保護装置。
【請求項８】
請求項６に記載の回路保護装置において、
前記制御手段は、前記入力電圧の供給経路上に設けられたスイッチ手段を断として当該入力電圧の供給自体を停止することにより前記出力電圧の生成を停止することを特徴とする回路保護装置。
【発明の詳細な説明】
【技術分野】
【０００１】
本願は、回路保護装置の技術分野に属する。
【背景技術】
【０００２】
電子機器に内蔵されて使用されるトランジスタ等の電子素子は、一般には直流により動作する。そこで、当該電子素子をその仕様通りに動作させるためには、安定した電圧値を有する直流をその駆動電力として供給する必要があり、この安定化した直流を供給する装置として、いわゆる直流安定化電源装置が従来から用いられていた。
【０００３】
そして、この直流安定化電源装置として代表的なものにスイッチング電源装置がある。このスイッチング電源装置は、いわゆるスイッチング方式による制御される直流安定化電源装置の一種であり、商用交流電源又は直流電源をその入力とし、これを半導体の高速スイッチング作用を利用して可聴周波数以上の高周波電力に変換し、更に制御・整流して所定の電圧値の直流を得るものである。小型・軽量・高効率を特徴とするものであり、最近では、情報機器や通信機器をはじめ、ほとんどの電子機器の電源装置として広く用いられている。
【０００４】
ここで、当該スイッチング電源装置においては、その構成上、例えば上記商用交流電源として規格化されている電圧値（我が国では交流１００ボルト）の半分程度の電圧値を有する交流を入力した場合でも、短時間であれば、当該規格化された本来の電圧値の交流を入力した場合と同じだけの電力を上記電子機器に供給することができる。
【０００５】
しかしながら、上述した従来のスイッチング電源装置においては、例えば上記規格化された電圧値の倍以上の電圧値を有する交流を印加した場合に、当該スイッチング電源装置自体をその過電圧から保護するための過電圧保護装置を用いることはあったが、当該規格化された電圧値未満の電圧値を有する交流が印加された場合に当該スイッチング電源装置を保護するための回路保護装置は用いられていなかった。
【発明の開示】
【発明が解決しようとする課題】
【０００６】
一方、上記した電子機器につき、例えば１００ボルト入力用の電子機器（例えば日本及び北米向け）と、２２０ボルト乃至２３０ボルト入力用の電子機器（例えば欧州向け）とを、同じ生産現場において並行して同時に生産する場合があるが、当該生産現場では、その生産の最終段階において、出来上がった各電子機器に対して実際に定格の電源電力を印加し、夫々の電子機器の動作を検査する工程が必要になる。そしてこの場合、欧州向け用の電子機器に対して、誤って日本向けの交流１００ボルトを印加してしまうという事故が発生し得るが、その場合に、上記検査工程において誤って交流１００ボルトが印加されていることを、担当の検査員が気付かない場合がある。
【０００７】
しかしながら、上述したように、欧州向けのスイッチング電源装置が搭載された電子機器に対して交流１００ボルトを誤って印加してしまっても、そのスイッチング電源装置は交流２２０ボルト乃至２３０ボルトが印加された場合と同じだけの電力量を有する負荷電力を供給しようとするために、規格化された入力電圧（２２０ボルト乃至２３０ボルト）を印加した場合に比して約二倍の電流が一次側に流れてしまうこととなり、結果として、当該一次側を構成する各回路部品を損傷してしまうという問題点があった。
【０００８】
そこで、この問題点に対処すべく、従来では、たとえ規格化された電圧値未満の値を有する入力電圧が印加されたことに起因して大電流が流れたとしても製品としての安全を確保すべく、一次側を構成する各回路部品を選定する場合に規格外の低い電圧値の入力電圧が入力された場合を想定する必要があり、その結果として、その回路部品自体が大型化すると共に製造コストも増大してしまうという問題点があった。
【０００９】
そこで、本願は上記の各問題点に鑑みて為されたもので、その目的の一例は、従来と同様の回路部品等を使用しつつも、規格外の低い電圧値の入力電圧を用いて必要な出力電圧を生成することに起因する大電流等から当該回路部品を保護することが可能な回路保護装置を提供することにある。
【課題を解決するための手段】
【００１０】
上記の課題を解決するために、請求項１に記載の発明は、入力電圧を用いて出力電圧を生成するスイッチング電源部等の生成手段と、前記入力電圧の値が、予め設定された閾値未満となっているか否かを検出する電圧検出部等の検出手段と、前記入力電圧の値が前記閾値未満の値となっているとき、当該入力電圧を用いた前記出力電圧の生成を停止するように制御する制御部等の制御手段と、を備える。
【発明を実施するための最良の形態】
【００１１】
次に、本願を実施するための最良の形態について、図面に基づいて説明する。なお、以下に説明する各実施形態は、商用の交流をその電力源とするスイッチング電源装置に対して本願を適用した場合の実施の形態である。
【００１２】
（Ｉ）本願の原理
始めに、各実施形態について具体的に説明する前に、本願の原理について、図１乃至図３を用いて説明する。
【００１３】
なお、図１は本願の原理を示すブロック図であり、図２は本願に係るスイッチング電源部の細部を示すブロック図であり、図３は本願の動作に係るフローチャートである。
【００１４】
図１に示すように、本願に係るスイッチング電源装置Ｂは、生産工場における電源としての交流差込口等に差し込まれて当該電源としての交流の供給を受ける端子１Ａ及び１Ｂを備えるコンセント１と、従来と同様の構成を有する整流器３と、コンデンサ４及び７と、検出手段としての電圧検出部５と、従来と同様の構成を有する生成手段としてのスイッチング電源部６と、ダイオード８と、トランス９と、制御手段としての制御部１０と、により構成されている。ここで、図１においては、説明の簡略化のため、トランス９における一次側の回路のみを記載している。
【００１５】
また、スイッチング電源部６は、図２に示すように、従来と同様の、電圧検知スイッチ６Ａと、駆動回路６Ｂと、トランジスタ等のスイッチング素子６Ｃと、により構成されている。
【００１６】
上記の構成を有する本願では、コンセント１の両端子１Ａ及び１Ｂに印加される交流として、正規の電圧値（例えば２２０ボルト）の他に、誤って例えば１００ボルトの交流が印加される場合があることを前提とする。そして、誤って規格値未満の電圧値を有する交流が両端子１Ａ及び１Ｂに印加されたとき、これに伴って、トランス９の一次側の電圧値が規格値以下に減少すると、当該減少後の電圧を異常電圧として電圧検出部５において検出信号Ｓvとして検出し、当該異常電圧が検出された場合には当該検出信号Ｓvに基づいてスイッチング電源部６による電源電力供給自体を停止させる。そして、この停止動作により、当該異常電圧に起因して発生する大電流から図１に示す各回路を保護するのである。
【００１７】
なお、この停止動作として具体的には、スイッチング電源部６の動作自体を電圧検出部５の検出結果に応じて制御部１０からの制御信号Ｓccにより停止させる場合（以下に示す第１実施形態又は第２実施形態の場合）と、図１に示すスイッチ２（又はこれに相当するヒューズ等）を制御部１０からの制御信号Ｓcsにより断とすることでコンセント１からの交流の供給自体を停止させて当該スイッチング電源部６の動作を結果的に停止させる場合（以下に示す第３実施形態又は第４実施形態の場合）と、の二通りの方法がある。
【００１８】
そして、このような構成を有する本願が最もその効果を発揮するのは、例えば、相互に異なる電圧値を有する複数種類の交流を夫々の駆動電力とする、複数種類の製品を一つの生産ラインにおいて生産する場合である。すなわち、例えば図３に示すように、当該生産ラインにおいて、組立てに供される部品（本願に係る回路保護装置を含む）の調達・確認（ステップＳ１）、組立て準備（ステップＳ２）及び組立て（ステップＳ３）の各工程が完了した後に実行される各製品全ての動作確認工程（ステップＳ４）及び抜取り検査工程（ステップＳ５）において、誤って定格よりも低い電圧値の交流がその駆動電力として供給された場合に、本願によれば、スイッチング電源部６の動作を停止させるか、或いはコンセント１からの交流の供給自体を停止させることで、図１に示す各回路を保護することができるのである。また、結果としてスイッチング電源装置Ｂ自体の停止することになるので、検査者をしてコンセント１に印加する交流の電圧値の誤りを認識させることができ、正しい各検査工程（ステップＳ４及びＳ５）をやり直させることができるという効果も期待される。そして、これらにより、その後における出荷工程（ステップＳ６）において、誤った電源電力の投入により破壊されることなく、より多くの製品を出荷することができることとなるのである。
【００１９】
（II）第１実施形態
次に、上述した原理に基づく本願の第１実施形態について、具体的に図４を用いて説明する。なお、図４において、図１に示す構成部材と同様の構成部材については同様の部材番号を付して細部の説明は省略する。
【００２０】
図４に示すように、第１実施形態に係るスイッチング電源装置ＢCは、図１に示すコンセント１、整流器３、コンデンサ４及び７、スイッチング電源部６、ダイオード８及びトランス９と、図１に示す電圧検出部５として機能する抵抗５Ｃ１並びにツェナーダイオード５Ｃ２と、図１に示す制御部１０として機能するトランジスタ１０Ｃ１及び１０Ｃ２、抵抗１０Ｃ３及び１０Ｃ４と、により構成されている。この構成において、スイッチング電源部６の駆動電力源としての電源ＶＣＣと接地との間にトランジスタ１０Ｃ２が接続されている。
【００２１】
次に、動作を説明する。
【００２２】
コンセント１に対して規格値未満の交流が印加された場合、コンデンサ４の両端の電圧が規格値以下に減少することとなるが、このことが、抵抗５Ｃ１及びツェナーダイオード５Ｃ２並びに抵抗１０Ｃ４によりトランジスタ１０Ｃ１のベース電圧が低下することで検出され、当該トランジスタ１０Ｃ１はオフ状態となる。
【００２３】
そして、トランジスタ１０Ｃ１がオフ状態となると、トランジスタ１０Ｃ２のベース端子の電圧が上昇し、その結果トランジスタ１０Ｃ２がオン状態となって上記電源ＶＣＣが抵抗１０Ｃ３を介して接地されることとなる。
【００２４】
これにより、スイッチング電源部６自体には電源ＶＣＣからの電力が供給されなくなり、当該スイッチング電源部６の動作が停止する。その結果、スイッチング電源装置ＢＣとしての機能が停止して、各回路が保護されることとなる。
【００２５】
なお、以上の動作を実現させるために、抵抗５Ｃ１の抵抗値及びツェナーダイオード５Ｃ２の定格値としては、コンセント１に入力され得る規格外の電圧値に応じて、それが入力されたときにトランジスタ１０Ｃ１を確実にオフ状態とすることができる夫々の値である必要がある。
【００２６】
以上説明したように、第１実施形態のスイッチング電源装置ＢＣによれば、入力として交流の電圧値が規格値未満となったとき当該交流を用いたスイッチング電源装置ＢＣの動作を停止するので、従来と同様の回路部品を使用している場合も、当該規格値未満の値を有する交流を用いて必要な直流を生成することに起因する大電流等から当該回路部品を保護することができる。
【００２７】
また、値が変動する交流からスイッチング電源部６を用いて一定値の直流を得る場合において当該交流の電圧値が規格値未満となっても、当該規格値未満の値を有する交流を用いて必要な直流を生成することに起因する大電流等から回路部品を保護することができる。
【００２８】
更に、入力される交流の電圧値が規格値未満であるとき、スイッチング電源部６への電源ＶＣＣの供給を停止して当該スイッチング電源部６の動作を停止させるので、機械的な機能を用いることなく電気的な動作により回路部品を保護することができる。
【００２９】
また、スイッチング電源部６への電源ＶＣＣ自体の供給を停止させるので、簡易な構成で且つ電気的な機能のみにより回路部品を保護することができる。
【００３０】
（III）第２施形態
次に、上述した原理に基づく本願の他の実施形態である第２実施形態について、具体的に図５を用いて説明する。なお、図５において、図１に示す構成部材と同様の構成部材については同様の部材番号を付して細部の説明は省略する。
【００３１】
図５に示すように、第２実施形態に係るスイッチング電源装置ＢＤＤは、図１に示すコンセント１、整流器３、コンデンサ４及び７、スイッチング電源部６、ダイオード８及びトランス９と、図１に示す電圧検出部５として機能する抵抗５Ｄ１並びにツェナーダイオード５Ｄ２と、図１に示す制御部１０として機能するトランジスタ１０Ｄ１及び１０Ｄ２、抵抗１０Ｄ３及び１０Ｄ４と、により構成されている。この構成において、スイッチング電源部６の駆動電力源としての電源ＶＣＣと接地との間にトランジスタ１０Ｄ２が接続されており、また、当該電源ＶＣＣとトランジスタ１０Ｄ１のベース端子との間に抵抗５Ｄ１及びツェナーダイオード５Ｄ２が直列に接続されている。
【００３２】
次に、動作を説明する。
【００３３】
コンセント１に対して規格値未満の交流が印加された場合、第１実施形態におけるコンデンサ４に加えてコンデンサ７の両端の電圧も規格値以下に減少することとなるが、このことが、抵抗５Ｄ１及びツェナーダイオード５Ｄ２並びに抵抗１０Ｄ４によりトランジスタ１０Ｄ１のベース電圧が低下することで検出され、当該トランジスタ１０Ｄ１はオフ状態となる。
【００３４】
そして、トランジスタ１０Ｄ１がオフ状態となると、トランジスタ１０Ｄ２のベース端子の電圧が上昇し、その結果トランジスタ１０Ｄ２がオン状態となって上記電源ＶＣＣが抵抗１０Ｃ３を介して接地されることとなる。
【００３５】
これにより、第１実施形態の場合と同様にスイッチング電源部６自体には電源ＶＣＣからの電力が供給されなくなり、当該スイッチング電源部６の動作が停止する。その結果、スイッチング電源装置ＢＤとしての機能が停止して、各回路が保護されることとなる。
【００３６】
なお、以上の動作を実現させるために、抵抗５Ｄ１の抵抗値及びツェナーダイオード５Ｄ２の定格値としては、コンセント１に入力され得る規格外の電圧値に応じて、それが入力されたときにトランジスタ１０Ｄ１を確実にオフ状態とすることができる夫々の値である必要がある。
【００３７】
以上説明した第２実施形態のスイッチング電源装置ＢＤによっても、上述した第１実施形態にかかるスイッチング電源装置ＢＣと同様の効果を奏することができる。
【００３８】
（IV）第３施形態
次に、上述した原理に基づく本願の更に他の実施形態である第３実施形態について、具体的に図６を用いて説明する。なお、図６は第３実施形態に係るスイッチング電源装置の概要構成を示すブロック図であり、当該図６において、図１に示す構成部材と同様の構成部材については同様の部材番号を付して細部の説明は省略する。
【００３９】
図６に示すように、第３実施形態に係るスイッチング電源装置ＢＡは、図１に示すコンセント１、整流器３、コンデンサ４及び７、スイッチング電源部６、ダイオード８及びトランス９と、図１に示す電圧検出部５として機能する抵抗５Ａ１並びにツェナーダイオード５Ａ２と、図１に示す制御部１０として機能するトランジスタ１０Ａ１及び１０Ａ２、抵抗１０Ａ３並びにスイッチ１１と、図１に示すスイッチ２として機能するヒューズ２Ａと、により構成されている。
【００４０】
次に、動作を説明する。
【００４１】
コンセント１に対して規格値未満の交流が印加された場合、コンデンサ４の両端の電圧が規格値以下に減少することとなるが、このことが、抵抗５Ａ１及びツェナーダイオード５Ａ２並びに抵抗１０Ａ３によりトランジスタ１０Ａ１のベース電圧が低下することで検出され、当該トランジスタ１０Ａ１はオフ状態となる。
【００４２】
そして、トランジスタ１０Ａ１がオフ状態となると、トランジスタ１０Ａ２のベース端子の電圧が上昇し、その結果トランジスタ１０Ａ２がオン状態となって、コンセント１に印加された交流が直接ヒューズ２Ａに印加される。すると、ヒューズ２Ａに上記定格以上の電流が流れることになって当該ヒューズ２Ａが溶断する。
【００４３】
これにより、整流器３及びスイッチング電源部６にはコンセント１からの交流が印加されないこととなり、スイッチング電源装置ＢＡとしての機能が結果的に停止して、各回路が保護されることとなる。
【００４４】
なお、以上の動作を実現させるために、抵抗５Ａ１の抵抗値及びツェナーダイオード５Ａ２の定格値としては、コンセント１に入力され得る規格外の電圧値に応じて、それが入力されたときにトランジスタ１０Ａ１を確実にオフ状態とすることができる夫々の値である必要がある。
【００４５】
また、本実施形態の場合、コンセント１に対して規格値の交流が印加されたとしても、コンデンサ４に必要な電荷が蓄積されるまで所定の充電時間（以下、充電時間ｔと称する）が必要となるが、この充電時間ｔにおいては、トランジスタ１０Ａ１がオフとなり且つトランジスタ１０Ａ２がオンとなる結果、ヒューズ２Ａに定格以上の電流が流れて当該ヒューズ２Ａが溶断してしまう場合がある。そこで、第３実施形態に係るスイッチング電源装置ＢＡにおいては、図６に示すスイッチ１１を新たに設け、コンセント１を介して電源電力が印加された場合にコンデンサ４に必要な電荷が蓄積されるまで（すなわち、コンデンサ４の両端の電圧が予め設定されている定格値となるまで）の上記蓄積時間ｔだけ、図１に示す制御部１０を構成する図示しないマイクロコンピュータ等からの制御信号Ｓcにより当該スイッチ１１をオフとする制御を行うものである。
【００４６】
以上説明したように、第３実施形態のスイッチング電源装置ＢＡによれば、入力として交流の電圧値が規格値未満となったとき当該交流を用いたスイッチング電源装置Ｂの動作を停止するので、従来と同様の回路部品を使用している場合も、当該規格値未満の値を有する交流を用いて必要な直流を生成することに起因する大電流等から当該回路部品を保護することができる。
【００４７】
また、値が変動する交流からスイッチング電源部６を用いて一定値の直流を得る場合において当該交流の電圧値が規格値未満となっても、当該規格値未満の値を有する交流を用いて必要な直流を生成することに起因する大電流等から回路部品を保護することができる。
【００４８】
更に、入力される交流の電圧値が規格値未満であるとき、ヒューズ２Ａを溶断させて当該交流の整流器３等への供給自体を停止することによりスイッチング電源部６の動作を停止させるので、確実に回路部品を保護することができる。
【００４９】
（Ｖ）第４実施形態
最後に、上述した原理に基づく本願の更に他の実施形態である第４実施形態について、具体的に図７を用いて説明する。なお、図７において、図１に示す構成部材と同様の構成部材については同様の部材番号を付して細部の説明は省略する。
【００５０】
図７に示すように、第４実施形態に係るスイッチング電源装置ＢＢは、図１に示すコンセント１、整流器３、コンデンサ４及び７、スイッチング電源部６、ダイオード８及びトランス９と、図１に示す電圧検出部５として機能する抵抗５Ｂ１並びにツェナーダイオード５Ｂ２と、図１に示す制御部１０として機能するトランジスタ１０Ｂ１、１０Ｂ２及び１０Ｂ７、抵抗１０Ｂ５、１０Ｂ６、１０Ｂ９及び１０Ｂ１０並びにスイッチ制御部１０Ｂ８と、フォトカプラとして機能する発光素子１０Ｂ３及び受光素子１０Ｂ４と、図１に示すスイッチ２に相当するスイッチ２Ｂと、により構成されている。
【００５１】
次に、動作を説明する。
【００５２】
コンセント１に対して規格値未満の交流が印加された場合、コンデンサ４の両端の電圧が規格値以下に減少することとなるが、このことが、抵抗５Ｂ１及びツェナーダイオード５Ｂ２並びに抵抗１０Ｂ９によりトランジスタ１０Ｂ１のベース電圧が低下することで検出され、当該トランジスタ１０Ｂ１はオフ状態となる。
【００５３】
そして、トランジスタ１０Ｂ１がオフ状態となると、トランジスタ１０Ｂ２のベース端子の電圧が上昇し、その結果トランジスタ１０Ｂ２がオン状態となって発光素子１０Ｂ３が発光する。これにより、当該発光された光が受光素子１０Ｂ４において受光されると、当該受光素子１０Ｂ４自体の抵抗値が減少し、従ってトランジスタ１０Ｂ７のベース電圧が減少することで当該トランジスタ１０Ｂ７はオフ状態とされる。
【００５４】
これによりスイッチ制御部１０Ｂ８が動作し、そこから出力される制御信号Ｓswに基づいてスイッチ２Ｂがオフとなる。
【００５５】
これにより、整流器３及びスイッチング電源部６にはコンセント１からの交流が印加されないこととなり、第３実施形態の場合と同様にスイッチング電源装置ＢＢとしての機能が結果的に停止して、各回路が保護されることとなる。
【００５６】
なお、以上の動作を実現させるために、抵抗５Ｂ１の抵抗値及びツェナーダイオード５Ｂ２の定格値としては、コンセント１に入力され得る規格外の電圧値に応じて、それが入力されたときにトランジスタ１０Ｂ１を確実にオフ状態とすることができる夫々の値である必要がある。
【００５７】
また、本実施形態の場合でも、上記第３実施形態に係るスイッチ１１に関する説明の部分で述べた場合と同様の理由で、コンデンサ４の充電時間ｔにおいてトランジスタ１０Ｂ１がオフとなり且つトランジスタ１０Ｂ２がオンとなる結果、スイッチ２Ｂがオフとなるように制御されてしまうので、第４実施形態に係るスイッチング電源装置ＢＢにおいては、図７に示すスイッチ１２を新たに設け、コンセント１を介して電源電力が印加されたタイミングから上記蓄積時間ｔだけ、図１に示す制御部１０を構成する図示しないマイクロコンピュータ等からの制御信号Ｓcにより当該スイッチ１２をオフとしてスイッチ２Ｂをオフとさせる制御を行うものである。
【００５８】
以上説明したように、第４実施形態のスイッチング電源装置ＢＢによれば、入力として交流の電圧値が規格値未満となったとき当該交流を用いたスイッチング電源装置ＢＢの動作を停止するので、従来と同様の回路部品を使用している場合も、当該規格値未満の値を有する交流を用いて必要な直流を生成することに起因する大電流等から当該回路部品を保護することができる。
【００５９】
また、値が変動する交流からスイッチング電源部６を用いて一定値の直流を得る場合において当該交流の電圧値が規格値未満となっても、当該規格値未満の値を有する交流を用いて必要な直流を生成することに起因する大電流等から回路部品を保護することができる。
【００６０】
更に、入力される交流の電圧値が規格値未満であるとき、スイッチ２Ｂをオフとして当該交流の整流器３等への供給自体を停止することによりスイッチング電源部６の動作を停止させるので、確実に回路部品を保護することができる。
【００６１】
以上夫々説明したように、本願の各実施形態の構成によれば、スイッチング電源装置を夫々に備えると共に電源としての交流の電圧値が異なる複数種類の装置を同じ生産ラインで製造する場合等において、各装置の保護、換言すれば夫々の歩留まりの向上に寄与できるところ大である。
【図面の簡単な説明】
【００６２】
【図１】本願の原理を示すブロック図である。
【図２】実施形態に係るスイッチング電源部の細部構成を示すブロック図である。
【図３】本願の原理を示すフローチャートである。
【図４】第１実施形態に係るスイッチング電源装置の概要構成を示すブロック図である。
【図５】第２実施形態に係るスイッチング電源装置の概要構成を示すブロック図である。
【図６】第３実施形態に係るスイッチング電源装置の概要構成を示すブロック図である。
【図７】第４実施形態に係るスイッチング電源装置の概要構成を示すブロック図である。
【符号の説明】
【００６３】
１    コンセント
２、２Ｂ    スイッチ
２Ａ    ヒューズ
３    整流器
４、７    コンデンサ
５    電圧検出部
５Ａ１、５Ｂ１、５Ｃ１、５Ｄ１、１０Ａ３、１０Ｂ５、１０Ｂ６、１０Ｂ９、１０Ｂ１０、１０Ｃ３、１０Ｄ３、１０Ｄ４    抵抗
５Ａ２、５Ｂ２、５Ｃ２、５Ｄ２    ツェナーダイオード
６    スイッチング電源部
８    ダイオード
９    トランス
１０    制御部
１０Ａ１、１０Ａ２、１０Ｂ１、１０Ｂ２、１０Ｂ７、１０Ｃ１、１０Ｃ２、１０Ｄ１、１０Ｄ２    トランジスタ、
１０Ｂ３    発光素子
１０Ｂ４    受光素子
１０Ｂ８    スイッチ制御部
１１、１２    スイッチ
Ｂ、ＢＡ、ＢＢ、ＢＣ、ＢＤ    スイッチング電源装置
【図１】
2007329978.tif 000003
【図２】
2007329978.tif 000004
【図３】
2007329978.tif 000005
【図４】
2007329978.tif 000006
【図５】
2007329978.tif 000007
【図６】
2007329978.tif 000008
【図７】
2007329978.tif 000009